(57)【要約】【課題】冷暖房能力を落とすことなく、エアコンの風が人に直接当たるのを防いで、常に快適な暖房および冷房ができるようにするルームエアコン用風防装置を提供する。【解決手段】薄板状部材の両側縁寄りの一定幅を一方に折り曲げることで平面視が〕形のパネル基体１０を形成し、該パネル基体をその折り曲げ側がエアコン取付壁面３０と相対するように室内床面に起立させて設置すると共に、該パネル基体の上部に平面視が〕形のスライドパネル２０を上下にスライド可能に重合し、エアコン３１の吹出口３２から吹き出た冷暖気が該スライドパネルに当たるように調整される。【選択図】図４
2010255968.tif 000002
【特許請求の範囲】
【請求項１】
薄板状部材の両側縁寄りの一定幅を一方に折り曲げることで平面視が〕形のパネル基体を形成し、該パネル基体をその折り曲げ側がエアコン取付壁面と相対するように室内床面に起立させて設置すると共に、該パネル基体の上部に平面視が〕形のスライドパネルを上下にスライド可能に重合し、エアコンの吹出口から吹き出た冷暖気が該スライドパネルに当たるように調整されるようにしたことを特徴とするルームエアコン用風防装置。
【請求項２】
上面に溝が形成された３本の基枠部材を折り畳み可能なるように連結し、該基枠部材を平面視で〕形なるように展開して該溝にパネル基体の下縁部を挿通することにより該パネル基体が起立されるようにしたことを特徴とする請求項１に記載したルームエアコン用風防装置。
【発明の詳細な説明】
【技術分野】
【０００１】
本発明は、室内壁面の天井部付近に取付られたルームエアコンの冷暖気吹出口と相対するように室内床面に起立状態で設けて、その冷暖気の風防をすることにより、快適な暖房および冷房ができるようにするルームエアコン用風防装置に関するものである。
【背景技術】
【０００２】
一般に家庭用、事務所用等のルームエアコンは、室内の一壁面の天井部付近に取付られ、室内全体に冷気または暖気が行き渡るように風量設定がされていることで、室内全体を均一に冷暖房しようとするものである。
なお、下記特許文献１、２には、風向を調整するためにエアコンの吹出口に設けるダクトが示され、特許文献３にはエアコンの吹出口のルーバに付設される風量調整具が示される。これらの特許文献に示されたように、エアコンの吹出口に設けられる風向・風量調整装置は従来から知られている。
【先行技術文献】
【特許文献】
【０００３】
【特許文献１】特開２００２−３０３４４６号公報
【特許文献２】特開２００２−１３７７０号公報
【特許文献３】特開平１０−７３３０６号公報
【発明の概要】
【発明が解決しようとする課題】
【０００４】
ところで、一般的なヒートポンプ式ルームエアコンはその吹出口から吹き出す冷気または暖気の温度が外気温および室内温度によって大きく左右されるため、寒い時期に暖房が効かなかったり、或いは室内全体が温まるまでに非常に時間を要するといった問題があった。そして、室内温度が低いと吹出口から吹き出した暖気がその吹出口から少し離れた箇所に到達する間に室内の冷たい空気を巻き込むために温度がより下がってしまうために、暖房中であっても冷たい風が人に当たり寒くなってしまうという問題があった。
また、冷房時には冷気が吹出口の近くの人に直接当たるために、健康によくないという問題がある。
なお、一般に既存のルームエアコンは、風量調節スイッチを操作することにより風量を簡単に調節できるが、冷たい風が当たらないようにするために風量を落とすと、エアコンの室内機内を循環する風量も落ちるので室内機内にて熱交換される熱量が少なくなり、冷暖房能力までも落ちてしまうという問題がある。
そこで本発明は、冷暖房能力を落とすことなく、エアコンの風が人に直接当たるのを防いで、常に快適な暖房および冷房ができるようにするルームエアコン用風防装置を提供しようとするものである。
【課題を解決するための手段】
【０００５】
そのために本発明に係るルームエアコン用風防装置は、薄板状部材の両側縁寄りの一定幅を一方に折り曲げることで平面視が〕形のパネル基体を形成し、該パネル基体をその折り曲げ側がエアコン取付壁面と相対するように室内床面に起立させて設置すると共に、該パネル基体の上部に平面視が〕形のスライドパネルを上下にスライド可能に重合し、エアコンの吹出口から吹き出た冷暖気が該スライドパネルに当たるように調整されるようにしたことを特徴とするものである。
また、本発明は上記ルームエアコン用風防装置において、上面に溝が形成された３本の基枠部材を折り畳み可能なるように連結し、該基枠部材を平面視で〕形なるように展開して該溝にパネル基体の下縁部を挿通することにより該パネル基体が起立されるようにしたことを特徴とするものである。
【発明の効果】
【０００６】
本発明に係るルームエアコン用風防装置を設置することにより、この風防装置とエアコン取付壁面との間に空間ができ、その空間にエアコンから吹き出た暖気または冷気が溜り、その空間に溜った暖気または冷気がエアコン内を再循環するために、循環風量が十分に確保され、冷暖房能力を落とすことなく、エアコンの風が人に直接当たるのを防ぐことができる。このため常に快適な暖房および冷房ができるようになる。
【図面の簡単な説明】
【０００７】
【図１】本発明に係るルームエアコン用風防装置の基枠部材の斜視図。
【図２】本発明に係るルームエアコン用風防装置の基枠部材の折り畳み状態を示した斜視図。
【図３】本発明に係るルームエアコン用風防装置の斜視図。
【図４】本発明に係るルームエアコン用風防装置の使用状態を示した側面図。
【図５】本発明に係るルームエアコン用風防装置の使用状態を示した平面図。
【発明を実施するための形態】
【０００８】
次に本発明の実施形態を図面に従い説明する。この風防装置の転倒を防ぐための基枠部材１〜３は、３本の木製角柱状材を蝶番４を介して連結することにより、図１に示したように平面視が〕形に展開できると共に、図２に示したように折り畳むことができるもので、該各基枠部材１〜３の上面には溝５が形成されたものであり、折り畳むことにより保管、輸送が容易になる。
【０００９】
一方、図３に示したように、１０は幅１２０ｃｍ程度、高さ９０ｃｍ程度の段ボール紙や樹脂パネル、プラスチック製段ボールシ−ト（プラダンシ−ト）等の薄板状部材の両側縁寄りの一定幅を一方に折り曲げることで平面視が〕形に形成されるパネル基体で、該パネル基体１０の下縁部を〕形に展開した前記基枠部材１〜３の溝５に差し込むことにより、該パネル基体１０を室内床面上に安定的に起立させられるようにしている。なお、パネル基体１０の両側縁には横断面コ字形のガイド部材１１が固着されている。２０は該パネル基体１０と同様の材料で該パネル基体１０よりも少し幅狭の薄板状部材を平面視が〕形なるように折り曲げて形成されたスライドパネルで、該スライドパネル２０の両側縁をガイド部材１１中に挿入することにより、該スライドパネルが該ガイド部材１１に沿ってスライド可能となり、該スライドパネル２０を上方にスライドさせることにより該スライドパネル２０の上縁部が該パネル基体の上縁部よりもさらに高くなり得るようにしている。なお、スライドパネル２０が自重で下らないようにするためガイド部材１１の内面、またはスライドパネル２０の両側縁に適宜摩擦抵抗を与える起毛を設けるのがよい。
【００１０】
このように構成した風防装置は、図４、図５に使用状態を示したように、パネル基体１０の折り曲げ側がエアコン取付壁面３０と相対するように室内床面に起立させて設置され、エアコン３１の吹出口３２から吹き出た冷暖気が該スライドパネル２０に当たるように該スライドパネル２０の高さを調節する。なお、この風防装置は、エアコン取付壁面３０からの距離Ｗが概ね７０ｃｍ程度なる位置に起立させるのがよい。
【００１１】
こうすることで、暖房時に吹出口３２から吹き出た暖気はスライドパネル２０に当たって跳ね返り、その暖気がすぐにまたエアコン３１に吸引され再循環するようになる。そして暖気がエアコン取付壁面３０とこの風防装置とによって仕切られた空間Ａを何度も循環するようになるため、寒い時にエアコン３１から離れた場所に居る人に冷たい風が当たるようなことがないと共に、仕切られた空間Ａを暖気が循環することで該空間Ａの空気温度が上昇し易く、その暖気が空間Ａ外にも徐々に流れてゆき室内全体を暖めることができる。そのとき、遠くにいる人に冷たい風が当たるおそれがないので吹出口３２から吹き出す暖気の風量を落とす必要もなく、該エアコン３１の暖房能力が最大限に発揮され、外気温が低くても比較的短時間で室内全体を暖かくすることができる。
【００１２】
また、冷房時にもスライドパネル２０の高さを調節し、吹出口３２から吹き出た冷気が該スライドパネル２０に当たるようにすることにより、冷気が人に直接当たって不快な思いをさせるのを防止することができる。
【００１３】
なおこの風防装置は、パネル基体１０およびスライドパネル２０を平面視で〕形に形成したことにより、室内床面に安定的に起立できると共に、スライドパネル２０に当たった暖気や冷気がその両側縁の屈折部分によって遮られてその外側に流れ難くなることから、限られた空間Ａ内で空気を循環させるうえでも適した形状である。
そして、この風防装置では、エアコン３１の設置高さや冷暖気の吹き出し高さに合わせてスライドパネル２０の高さを適宜調節することができるので、常に設置場所に合った設定が可能となる。こうしてこの風防装置を使用することにより、ルームエアコンの能力が最大限に発揮され、快適な暖房および冷房をすることができる。
【符号の説明】
【００１４】
１〜３  基枠部材
４      蝶番
５      溝
１０    パネル基体
１１    ガイド部材
２０    スライドパネル
３０    エアコン取付壁面
３１    エアコン
３２    吹出口
【図１】
2010255968.tif 000003
【図２】
2010255968.tif 000004
【図３】
2010255968.tif 000005
【図４】
2010255968.tif 000006
【図５】
2010255968.tif 000007